【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
両端において開いており、十二指腸へと延びて十二指腸における栄養素の吸収を制限するように構成されている非支持の可撓スリーブ、および
前記スリーブの上流部へと接続され、十二指腸内に保持されるように構成されており、緩められた状態の直径が少なくとも４０ミリメートルであるアンカー
を有している胃腸内埋め込み装置。
【請求項２】
請求項１において、緩められた状態における前記アンカーの最小径が、少なくとも４５ミリメートルである胃腸内埋め込み装置。
【請求項３】
請求項１において、前記アンカーが、埋め込まれた状態において、３０〜３５ミリメートルの直径を有している胃腸内埋め込み装置。
【請求項４】
請求項１において、前記アンカーが、埋め込まれた状態において、長さ対直径の比が１である長さおよび直径を定めている胃腸内埋め込み装置。
【請求項５】
請求項１において、前記アンカーが十二指腸球部に保持されるように構成されている胃腸内埋め込み装置。
【請求項６】
請求項１において、前記アンカーが折り畳み可能である胃腸内埋め込み装置。
【請求項７】
請求項１において、前記アンカーが前記スリーブの上流部によって覆われている胃腸内埋め込み装置。
【請求項８】
請求項４において、前記アンカーが、前記スリーブの第１の内側層と前記スリーブの第２の外側層との間に挟まれている胃腸内埋め込み装置。
【請求項９】
請求項１において、前記アンカーが、ストラットからなる網目を備えているステントを含んでいる胃腸内埋め込み装置。
【請求項１０】
請求項１において、前記アンカーが、追従性の高い波状アンカーを含んでいる胃腸内埋め込み装置。
【請求項１１】
請求項１において、前記アンカーが、当該アンカーが前記スリーブの上流部を十二指腸へと固定すべく広がるときに組織へと挿入されるように構成されている手段を有している折り畳み可能なアンカーである胃腸内埋め込み装置。
【請求項１２】
請求項１において、前記スリーブが、胃を出て当該スリーブの上流端を通って流し込まれる糜粥がトライツ靭帯の下流端を通って当該スリーブから出る長さである胃腸内埋め込み装置。
【請求項１３】
請求項１において、前記スリーブの素材が、０．２未満の摩擦係数を有している胃腸内埋め込み装置。
【請求項１４】
請求項１において、前記スリーブがフッ素重合体で形成されている胃腸内埋め込み装置。
【請求項１５】
請求項１４において、前記フッ素重合体が延伸ポリテトラフルオロエチレンである胃腸内埋め込み装置。
【請求項１６】
請求項１５において、ＦＥＰ層をさらに有している胃腸内埋め込み装置。
【請求項１７】
請求項１において、前記スリーブがポリエチレンで形成されている胃腸内埋め込み装置。
【請求項１８】
請求項１７において、前記スリーブがシリコーンで被覆されている胃腸内埋め込み装置。
【請求項１９】
請求項１７において、前記スリーブがポリウレタンで被覆されている胃腸内埋め込み装置。
【請求項２０】
請求項１において、前記スリーブの下流端が、方向性をもって表面加工されている胃腸内埋め込み装置。
【請求項２１】
請求項１において、前記アンカーを十二指腸の筋肉組織へと固定するように構成された取り付け手段をさらに有している胃腸内埋め込み装置。
【請求項２２】
請求項２１において、前記取り付け手段が、前記スリーブの上流部を十二指腸へと取り付けるため前記アンカーの外表面から延びる針状突起物を含んでいる胃腸内埋め込み装置。
【請求項２３】
請求項２２において、前記針状突起物が２方向を向いている胃腸内埋め込み装置。
【請求項２４】
請求項２３において、前記針状突起物が、前記非支持の可撓スリーブを十二指腸の筋肉組織へと固定する胃腸内埋め込み装置。
【請求項２５】
請求項１において、
前記スリーブに組み合わされ、前記スリーブの座屈を減らすべく前記アンカーの下流から前記非支持の可撓スリーブの下流端まで延びている座屈防止装置
をさらに有している胃腸内埋め込み装置。
【請求項２６】
請求項１において、前記スリーブが、十二指腸において分泌された酵素が当該スリーブの外側で十二指腸を通過できるようにしている胃腸内埋め込み装置。
【請求項２７】
請求項１において、前記非支持の可撓スリーブを挿入するためのカテーテルと組み合わせられている胃腸内埋め込み装置。
【請求項２８】
請求項１において、前記非支持の可撓スリーブを取り出すための回収装置と組み合わせられている胃腸内埋め込み装置。
【請求項２９】
請求項１において、前記アンカーの取り外しを容易にするように構成された引き紐をさらに有している胃腸内埋め込み装置。
【請求項３０】
請求項２９において、前記引き紐が、前記アンカーの上流部に沿って位置し、引っ張られたときに上流部の直径を減少させる胃腸内埋め込み装置。
【請求項３１】
胃腸内埋め込み装置を体内に配置するための送入システムであって、
胃腸内埋め込み装置を十二指腸に固定するために緩められた状態の最小直径が少なくとも４０ミリメートルであるアンカー装置を備えている胃腸内埋め込み装置の上流部を収容するため、当該送入システムの上流部に位置する外側シース、
前記外側シースの内側に位置し、前記外側シースを超えて当該送入システムの下流端に向かって延びている内側シースであって、前記外側シースを過ぎてガイドワイヤを通すための第１の管腔と、前記アンカーへと接続されたスリーブの下流端を当該内側シースに固定するための可動部材を移動させるための第２の管腔とを内部に有している内側シース、
前記アンカー装置を前記外側シースから解放するための解放機構、および
前記スリーブの下流端を解放するため、前記可動部材へと接続されたスリーブ解放機構
を有している送入システム。
【請求項３２】
請求項３１において、前記スリーブの下流部が、送入のためのピルに収容されており、前記スリーブの下流部が、蠕動によって前記ピルから解放される送入システム。
【請求項３３】
請求項３１において、前記スリーブの下流部が、送入のための溶解可能なピルに収容されている送入システム。
【請求項３４】
請求項３１において、前記可動部材によって保持されて、当該送入システムの下流端に位置する球状部材をさらに有している送入システム。
【請求項３５】
請求項３４において、前記球状部材を遠方から解放することができる送入システム。
【請求項３６】
請求項３５において、前記アンカー装置が解放された後に、前記スリーブ解放機構が、前記可動部材を当該送入システムの上流端に向かって引っ張り、前記球状部材を解放する送入システム。
【請求項３７】
請求項３１において、当該送入システムの下流端に位置する展張可能なバルーン
をさらに有している送入システム。
【請求項３８】
請求項３１において、前記内側シースが、流体が通過して前記スリーブを当該送入装置の下流端から解放する第３の管腔を備えている送入システム。
【請求項３９】
胃腸内埋め込み装置を体内から取り出すための回収装置であって、
胃腸内埋め込み装置を十二指腸に取り付けるための自動展張式アンカーであって、緩められた状態の最小直径が少なくとも４０ミリメートルである自動展張式アンカーを備えている胃腸内埋め込み装置の上流部を収容するための外側シース、および
前記外側シースの内側に位置する内側シースであって、前記アンカーの上流端を折り畳んで前記アンカーを前記外側シースに引き込むことができるようにする複数のフィンガを、下流端から延伸させている内側シース
を有している回収装置。
【請求項４０】
請求項３９において、前記フィンガが、前記アンカーに係合して前記アンカーの上流端を半径方向内向きに引くことによって前記アンカーを折り畳む回収装置。
【請求項４１】
請求項４０において、前記フィンガが、前記内側シースが前記フィンガを覆うように移動するときに半径方向内向きに引く回収装置。